(57)【要約】      （修正有）【課題】簡易に安価に従来の工程をあまり変更せずに遮音及び吸音を効果的に行う。【解決手段】合成樹脂、合成塗料、生コンクリートの液体に所定の割合で混入した金属粉により音エネルギーを反射吸収し、更に合成樹脂液、合成塗料、生コンクリートによる膜によって空気を遮断し、その皮膜を振動させて音エネルギーを減殺し、音の伝播を効果的に吸収放出するメカニズムを利用して種々の製造加工が考えられる。例えば金属粉入り合成樹脂を利用して任意の繊維生地を貼り合せて防音カーテンに加工し、化粧プリントをベニヤに貼付ける時これを利用して、防音壁（防音ベニヤ）を加工し、床下防音のためこれを利用して床フローリングの裏側にウレタン等を貼合せれば効果大である。又、合成塗料に所定の割合で金属粉を混入したものを騒音を多く発する工場建物の壁や屋根に吹付塗付することにより、防音、吸音効果が著しく現れる。【選択図】なし【特許請求の範囲】
【請求項１】
壁材、床材、及び騒音を発する機器の遮へい材を製造加工するための原材料として、合成樹脂、合成ゴム、合成塗料又は生コンクリートの液体に所定の割合で金属粉（鉄粉、ステンレス粉、アルミ粉、その他）を混入し、撹拌したものを資材の接着剤、塗料材、及び充填材として使用し、遮音及び吸音効果を得る製造方法。
【請求項２】
合成樹脂の接着剤に所定の割合で金属粉を混入し、これをもって建築資材たる、カーテン生地、ベニア合板、壁紙、天井板、床板等の貼付工事に利用し、接着のみならず遮音及び吸音効果を得る製造方法。
【請求項３】
合成樹脂、合成塗料に所定の割合で金属粉を混入し、壁面、屋根に塗付又は吹付けを行い、遮音及び吸音効果を得る製造方法。
【請求項４】
生コンクリートに所定の割合で金属粉を混入し、壁面、床面、天井に建築資材として使用し、遮音及び吸音効果を得る製造方法。
【請求項５】
合成樹脂液に所定の割合で金属粉を混入し、これをシート状に製造し又は、薄い袋状のものに充填密ぺいして合成樹脂液層を成し、これをもって騒音を発する機器を包み又は、騒音を発する機器をカーテン状のもので遮へいし、遮音及び吸音効果を得る製造方法。
【発明の詳細な説明】
【技術分野】
【０００１】
本発明は、遮音及び吸音用の資材を作るための製造方法。
【背景技術】
【０００２】
従来、遮音及び吸音のため、その材料として比重の大きな鉛、亜鉛、鉄などを薄い板状にし、厚手の繊維やプラスチックと抱き合わせて平板にし、重量により振動を押える構造であるため、平方メートル当り２kg〜３kgと非常に重く、取扱いが面倒なものであり、騒音発散の大きな工場現場等特定の場所にしか使用できなかった。特に一般家庭におけるピアノ音、オーデオ音の外部への発散を押え又、事務所、家庭内への外部からの騒音浸入を防ぐため、取扱いの簡易な遮音及び吸音材料が必要となった。これは土地の乱開発により住宅地域、商業地域、工業地域が入り乱れ、建物建築当時充分な遮音、吸音問題をあまり認識していなかったため今になって大きな問題となっている。
【０００３】
特許文献1の引用（塩化ビニル10乃至30重量部、エチレン酢酸ビニル共重合体5乃至25重量部の合計量を100重量部として、可塑剤ＤＯＰ8乃至100重量部、及び防錆処理を施した鉄粉100乃至600重量部を添加してなるプラスチックシート1、1´層内にガラスクロス2を介在させ、表層には塩化ビニル化粧シート3を熱融着させてなる構成とする。そのガラスクロス2は8乃至32メッシュで、その織目は塩化ビニル樹脂と相容性のある樹脂でコーティング固定する。鉄粉によって遮音性が付与され、エチレン酢酸ビニル共重体により柔軟性（耐巻き癖性）が付与され、ガラスクロス2により耐引張性が付与される。）この方法により製造されたクロスは、重量的にはかなり改善されたものと思われるが、例えば室内カーテンとして使用する場合、多層であるため世間一般で使用されているカーテンレールでは重量的に無理であり、又しなやかさ、華やかさの面で、室内用カーテンとしては少々不適と思われる。
【特許文献１】特開平６−６７６７７
【発明の開示】
【発明が解決しようとする課題】
【０００４】
解決しようとする問題点は、従来の遮音及び吸音に関しては重量により振動を押えるため、根本的に重量を軽くすることは遮音及び吸音の効果と相反することとなり、非常に困難な問題であったが、これをできるだけ従来の製造加工方法を踏しゅうしながら簡単に比較的安価に遮音及び吸音効果を得ることができる。
【課題を解決するための手段】
【０００５】
従来からの加工、製造過程で使用している樹脂のり、塗料等、液体化している合成樹脂の液に金属粉を所定の割合で混入しこれを利用して接着、塗装、シート化、単板化すれば製造加工が非常に簡便となり、重量の問題から開放され、自由に巾広く遮音及び吸音問題に取組むことが可能となる。
【０００６】
合成樹脂の接着剤を使用して、遮音のカーテン生地、ベニヤ合板、壁紙、天井板、床板等を製造する場合、基準として従来各自が使用している接着剤７０重量部及び金属粉（ステンレススチール粉６０〜７０ミクロン）３０重量部、合計１００重量部として接着加工を行えば、接着効果をあまり下げることなく、遮音効果を大きく上げ、なおかつ経済的にも有利な製造加工である。但し、接着するものの材質、接着強度等により金属粉の混入割合は変更されるものとする。又、塗付量についても遮音効果を発揮するためには、合成樹脂の接着剤で接着面に膜を作り、空気を遮断するとともに、金属粉により音エネルギーの伝播のメカニズムを変え振動を押えるため、合成樹脂液は金属粉入りで５０ｇ／m２が基準と考えられる。
【０００７】
合成塗料に金属粉（ステンレススチール粉６０〜７０ミクロン）を混入し、壁面、屋根に塗付又は吹付けする場合、遮音効果を得るには合成塗料７０重量部及び金属粉３０重量部、合計１００重量部として８０ｇ／m２以上を塗付又は吹付ける。
【０００８】
生コンクリートに金属粉（１８０〜２００ミクロン）を生コンクリート７０重量部乃至９０重量部に対し、金属粉３０重量部乃至１０重量部を加えた生コンクリートを壁、天井、床に使用する。
【０００９】
合成樹脂によりシートを製造する場合、液状の合成樹脂５０重量部乃至８０重量部に対し、金属粉６０〜７０ミクロンを５０重量部乃至２０重量部を混入し、シートに固定し、これでもって騒音機器を包む。もっと効果的には、合成樹脂液に金属粉１８０〜２００ミクロンを混入し、薄い袋状のものに充填密ぺいしてこれをもって騒音発生機器を包み込む。特に金属粉が微細であれば騒音の振動で沈殿した金属粉は浮遊し、均一の遮音効果を得る。
【発明の効果】
【００１０】
この発明の効果は遮音及び吸音において塗付、接着、吹付の場合、所定の割合で金属粉を混入した樹脂液で合成樹脂膜を作り空気を遮断し音エネルギーの伝播のメカニズムを変え振動を抑制する。製造加工方法（接着、塗付、吹付、シート化）そのものは基本的に従来と変らず、簡易に安価に行うことができる。この加工では重量の大きい材料は使用せず音響伝播を制限し遮音及び吸音効果を発揮するものである。
【発明を実施するための最良の形態】
【００１１】
常湿、常温において合成の樹脂、塗料は液体であり金属粉を混入した状態で接着塗付もしくは吹付可能な粘度の液体とする。
【実施例１】
【００１２】
図１は本発明による実施例の断面図であり、従来使用の合成樹脂のり７０重量部に金属粉（ステンレス粉６０〜７０ミクロン）３０重量部を混入し、化粧ベニヤ板に遮音性及び吸音性を加えた。
【実施例２】
【００１３】
図２はマンション等の床板のウレタン裏貼りにより下屋階への響き、音を防ぐための実施例で、従来使用の合成樹脂のり７０重量部に金属粉３０重量部を混入し接着加工すれば、従来の遮音性を大きく上廻り、遮音材料の量の減少でコストダウンにつながる。
【実施例３】
【００１４】
図３は大きな騒音を発する工場において外壁、屋根を通過して騒音が広がるが、この外壁、屋根材（例えば塩ビの波板）に従来使用の合成塗料７０重量部と金属粉（ステンレス粉１８０〜２００ミクロン）３０重量部を混入した合成塗料を吹付ければ遮音及び吸音効果が得られる。
【産業上の利用可能性】
【００１５】
合成樹脂液に金属粉を混入しこれにより資材の接着、塗付、吹付け等により、従来に比較して簡単に安価に効果的に遮音及び吸音効果を発揮し、今後はモーター、エンジン等騒音発生の根本部分に被覆することで大巾な遮音及び吸音が期待できる。
【図面の簡単な説明】
【００１６】
【図１】化粧ベニヤの遮音化の実施方法を示した説明図である。（実施例１）
【図２】床下遮音化の実施方法を示した説明図である。（実施例２）
【図３】騒音発生の工場の壁、屋根に遮音、吸音化実施を示した説明図である。（実施例３）
【図４】合成樹脂、合成塗料に金属粉を混合した状態の拡大図である。
【符号の説明】
【００１７】
Ａ１……………化粧ベニヤの表面プリント紙又は、合成樹脂シート
Ａ２……………ベニヤ合板
Ｂ１……………金属粉混入の合成樹脂液塗布層及び（Ａ１）（Ａ２）の接着面
Ｂ２……………金属粉混入の合成樹脂液塗布層及び（Ｃ１）（Ｃ２）の接着面
Ｂ３……………金属粉混入の合成塗料液吹付層
Ｃ１……………木材のフローリング
Ｃ２……………不織布
Ｃ３……………ウレタンフォーム  
Ｃ４……………塩ビ波板
Ｄ………………合成樹脂液又は合成塗料
Ｅ１……………Ｄの中へ所定の割合で混入した金属粉の大きさ  
平均１０ミクロン
Ｅ２……………Ｄの中へ所定の割合で混入した金属粉の大きさ
平均６０〜７０ミクロン
Ｅ３……………Ｄの中へ所定の割合で混入した金属粉の大きさ
平均１８０〜２００ミクロン
Ｍ……………………音
m……………………遮音後の音
S……………………振動
s´……………………遮音後の振動
【図１】
2005120637.tif 000002
【図２】
2005120637.tif 000003
【図３】
2005120637.tif 000004
【図４】
2005120637.tif 000005